(57)【要約】本発明は、ユーザ装置を通信システムに登録し及びそこから登録解除する方法を提供し、この方法は、ユーザ装置を通信システムに登録するか又はそこから登録解除する要求を第１ノードへ送信し、第１ノードにおいて前記要求が登録要求であるか登録解除要求であるか決定し、そして前記要求が登録要求である場合だけ第２ノードにおいて少なくとも１つの所定のオペレーションを実行する、という段階を含む。
2005521349.tif 000002
【特許請求の範囲】
【請求項１】
ユーザ装置を通信システムに登録し及びそこから登録解除する方法において、
前記ユーザ装置を前記通信システムに登録するか又はそこから登録解除する要求を第１ノードへ送信し、
前記第１ノードにおいて前記要求が登録要求であるか登録解除要求であるか決定し、そして
前記要求が登録要求である場合だけ第２ノードにおいて少なくとも１つの所定のオペレーションを実行する、
という段階を備えた方法。
【請求項２】
前記要求が登録要求であるか又は登録解除要求であるかに基づいて識別子を設定する段階を更に備えた請求項１に記載の方法。
【請求項３】
前記識別子は、前記第１ノードから前記第２ノードへ送信されるメッセージにおいて設定される請求項２に記載の方法。
【請求項４】
前記メッセージは、前記第２ノードからの前記ユーザ装置の許可を要求する請求項１、２又は３に記載の方法。
【請求項５】
前記決定段階は、前記要求をチェックすることを含む請求項１ないし４のいずれかに記載の方法。
【請求項６】
前記決定段階は、前記要求のヘッダフィールドにおける情報をチェックすることを含む請求項５に記載の方法。
【請求項７】
前記ヘッダフィールドは、満了ヘッダフィールドである請求項６に記載の方法。
【請求項８】
前記満了ヘッダフィールドは、前記要求が登録要求である場合にはある値を有し、そして前記要求が登録解除要求である場合には異なる値を有する請求項７に記載の方法。
【請求項９】
前記通信システムは、ＩＰマルチメディアシステムである請求項１ないし８のいずれかに記載の方法。
【請求項１０】
前記第１ノードは、コール状態制御ファンクション又はコールセッション制御ファンクションである請求項９に記載の方法。
【請求項１１】
前記第１ノードは、質問コール状態制御ファンクションノードである請求項９に記載の方法。
【請求項１２】
前記第２ノードは、ホーム加入者サーバーである請求項９、１０又は１１に記載の方法。
【請求項１３】
前記少なくとも１つの所定のチェックは、ユーザ装置が現在アタッチされるネットワークにユーザ装置が登録されることが許されるかどうかチェックすることを含む請求項１ないし１２のいずれかに記載の方法。
【請求項１４】
前記ユーザ装置は、移動ステーション、ＰＤＡ、ポータブルコンピュータ、コンピュータ、移動電話の１つを含む請求項１ないし１３のいずれかに記載の方法。
【請求項１５】
前記通信システムは、ワイヤレス通信ネットワークである請求項１ないし１４のいずれかに記載の方法。
【請求項１６】
前記メッセージは、ユーザ認証要求メッセージである請求項１ないし１５のいずれかに記載の方法。
【請求項１７】
前記要求は、ＳＩＰ  ＲＥＧＩＳＴＥＲメッセージである請求項１ないし１６のいずれかに記載の方法。
【請求項１８】
ユーザ装置をＩＰマルチメディア通信システムに登録し及びそこから登録解除する方法において、
前記ユーザ装置を前記通信システムに登録するか又はそこから登録解除する要求をコール状態又はセッション制御ファンクションノードへ送信し、そして
上記ノードにおいて前記要求が登録要求であるか登録解除要求であるか決定するようチェックする、
という段階を備えた方法
【請求項１９】
ネットワークに登録及び登録解除されるように構成された少なくとも１つのユーザ装置と、
ユーザ装置からの要求が登録要求であるか登録解除要求であるかチェックするように構成された第１ノードと、
前記要求が登録要求である場合だけ少なくとも所定のチェックを実行するように構成された第２ノードと、
を備えた通信システム。
【請求項２０】
前記システムは、ＩＰマルチメディアシステムである請求項１９に記載のシステム。
【請求項２１】
前記第１ノードは、コールサービング制御ファンクションノードである請求項１９又は２０に記載のシステム。
【請求項２２】
前記第１ノードは、質問コールサービング制御ファンクションノードである請求項１９又は２０に記載のシステム。
【請求項２３】
前記第２ノードは、ホーム加入者サーバーである請求項１９ないし２２のいずれかに記載のシステム。
【請求項２４】
前記少なくとも１つの所定のチェックは、ユーザ装置が現在アタッチされたネットワークにユーザ装置を登録することが許されるかどうかチェックすることを含む請求項１９ないし２３のいずれかに記載のシステム。
【請求項２５】
前記第１ノードは、前記要求が登録要求であるか登録解除要求であるかに基づいて識別子をセットするように構成される請求項１９ないし２４のいずれかに記載のシステム。
【請求項２６】
少なくとも１つのユーザ装置が登録及び登録解除される通信システムに使用するための第１ノードにおいて、
前記ユーザ装置からの要求が登録要求であるか登録解除要求であるかチェックするための手段と、
第２ノードへメッセージを送信するための手段と、
を備え、更に、前記ユーザ装置が登録されるか又は登録解除されるかを示す指示を上記メッセージに含ませるように構成された第１ノード。
【請求項２７】
少なくとも１つのユーザ装置が登録及び登録解除される通信システムに使用するための第２ノードにおいて、
ユーザ装置が登録されるか又は登録解除されるかを示す指示を含むメッセージを第１ノードから受け取り、そして前記ユーザ装置が登録される場合だけ所定のチェックを実行するための手段を備えた第２ノード。
【請求項２８】
少なくとも１つのユーザ装置が登録及び登録解除される通信システムに使用するための第２ノードにおいて、
ユーザ装置が登録されるか又は登録解除されるかを示す指示を含むメッセージを第１ノードから受け取り、そしてユーザ装置が登録される場合だけユーザ装置が現在アタッチされるネットワークを使用することが許されるかどうか決定するためのチェックを行なう手段を備えた第２ノード。
【発明の詳細な説明】
【技術分野】
【０００１】
本発明は、ユーザを通信ネットワークに登録し及び通信ネットワークから登録解除する方法に係り、より詳細には、ワイヤレス通信ネットワークに使用するための方法に係るが、これに限定されない。
【背景技術】
【０００２】
通信システムは、システムに関連したユーザ装置及び他のノードのような２つ以上のエンティティ間で通信を行うことのできるファシリティとみなすことができる。通信システムは、通常、システムの種々の要素が何を行なうことが許されそしてそれをいかに行なうべきか規定する所与の規格又は仕様書に基づいて動作する。例えば、規格又は仕様書は、ユーザ、より詳細には、ユーザ装置又はターミナルにパケット交換サーバー及び／又は回路交換サーバーが設けられるかどうか定義することができる。接続に使用される通信プロトコル及び／又はパラメータも定義できる。換言すれば、システムにより通信を行なえるようにするには、通信を実行できる特定の１組の「ルール」を定義しなければならない。
【０００３】
ユーザターミナル又は他のノードに対してワイヤレス通信を提供する通信システムが知られている。ワイヤレスシステムの一例がセルラーネットワークである。セルラーシステムにおいては、ベーストランシーバステーション（ＢＴＳ）又は同様のアクセスエンティティが、これらのエンティティ間のワイヤレスインターフェイスを経て移動ステーション（ＭＳ）又は同様のワイヤレスユーザ装置（ＵＥ）にサービスする。通信に必要なベースステーション及びノードのオペレーションは、１つ又は多数の制御エンティティによって制御することができる。種々の制御エンティティを相互接続してもよい。セルラーネットワークを、公衆交換電話ネットワーク（ＰＳＴＮ）のような他のネットワーク、及び／又はＩＰ（インターネットプロトコル）及び／又は他のパケット交換ネットワームのような他の通信ネットワークに接続するために、１つ以上のゲートウェイノードが設けられてもよい。
【０００４】
通信システムは、ワイヤレスデータ通信サービスを提供するように適応されてもよい。通信システムは、移動ステーションに対してパケット交換（ＰＳ）サービスのようなワイヤレスデータ通信サービスを提供するように適応されてもよい。ワイヤレスデータ通信サービスを可能にするシステムは、例えば、汎用パケット無線サービス（ＧＰＲＳ）、エンハンスト・データレート・フォー・ＧＳＭエボリューション（ＥＤＧＥ）移動データネットワーク、いわゆる第三世代（３Ｇ）テレコミュニケーションシステム、例えば、ユニバーサル移動テレコミュニケーションシステム（ＵＭＴＳ）、ｉ−フォン又はＩＭＴ−２０００（インターナショナル移動テレコミュニケーション）及び地上トランク無線（ＴＥＴＲＡ）システムを含むが、これらに限定されない。
【０００５】
第三世代システムでは、マルチメディアネットワークアーキテクチャーを提供することが提案されている。マルチメディアアーキテクチャーは、それ自体知られたボイス、オーディオ、ビデオデータのような異なる種類のデータや、実際に他の形式の媒体を取り扱いできることが意図される。このようなネットワークアーキテクチャーに対してＩＰ（インターネットプロトコル）マルチメディアサブシステムをもつことが提案されている。従って、このアーキテクチャーのサブシステムは、インターネットプロトコルに基づいてパケットデータ形態で種々のエンティティ間にデータを転送するように構成される。
【０００６】
より詳細には、ＩＰマルチメディアサブシステムは、マルチメディアサービスを提供するためのコアネットワーク要素を備えている。これは、シグナリング及びベアラ関連ネットワーク要素の集合を含む。ＩＰマルチメディアコアネットワークは、ＰＬＭＮオペレータが、インターネットアプリケーション、サービス及びプロコルに基づいてそれらの加入者マルチメディアサービスを構築しオファーできるように構成される。ＩＰマルチメディアコアネットワークサブシステムは、ワイヤレスユーザのためにボイス、ビデオ、メッセージ、データ及びウェブベース技術を集合させそしてそれにアクセスできねばならないことが意図される。提案された第三世代のマルチメディアネットワークアーキテクチャーは、異なる機能を取り扱うために多数の異なるサーバーを有してもよい。これらは、コール状態制御ファンクション（ＣＳＣＦ）のような機能を含む。この機能は、セッション制御ファンクションと称されることもある。コール状態制御ファンクションは、プロキシーコール状態制御ファンクション（Ｐ−ＣＳＣＦ）、質問コール状態制御ファンクション（Ｉ−ＣＳＣＦ）、及びサービングコール状態制御ファンクション（Ｓ−ＣＳＣＦ）のような機能を含むことができる。又、制御ファンクションは、ホーム加入者サーバー（ＨＳＳ）及び種々のアプリケーションサーバーのようなエンティティにより与えられてもよい。
【０００７】
第三世代仕様の現行バージョン、即ち第三世代パートナーシッププロジェクト；技術仕様書グループコアネットワーク；ダイアメータープロトコルをベースとするＣＸ及びＤＸインターフェイス；（リリース５）、３ＧＰＰ  ＴＳ２９．２２９、Ｖ１．１．０、及びＩＰマルチメディア（ＩＭ）サブシステムＣＸ及びＤＸインターフェイス；シグナリングフロー及びメッセージコンテンツ；（リリース５）、３ＧＰＰ  ＴＳ２９．２２８、Ｖ１．１．０を参照する。これら両方の仕様書は、参考としてここに取り上げる。これらの仕様書には、ＣＸインターフェイスが定義されている。ＣＸインターフェイスは、ホーム加入者サーバーと、質問コール状態制御ファンクションとの間のインターフェイスである。又、ＣＸインターフェイスは、ホーム加入者サーバーと、サービングコール状態制御ファンクションとの間のインターフェイスでもある。現在提案されている仕様では、ユーザの登録及び登録解除の両方に同じメッセージが使用される。現在、メッセージが登録のものか登録解除のものか区別することができない。従って、このメッセージがＣＳＣＦにより受信されるたびに、ＨＳＳは、ユーザが実際に存在するかどうかそしてユーザが特定の訪問先ネットワークに登録することが許されるかどうかチェックする必要がある。又、ＨＳＳは、ＣＳＣＦが既に指定されたかどうか調べるためのチェックも行う。従って、現在の提案では、ユーザは、登録又は登録解除を希望する場合に、登録メッセージを送信する。ユーザが登録するか又は登録解除するかに関わらず、全てのチェックは、ＨＳＳにより行われる。
【発明の開示】
【発明が解決しようとする課題】
【０００８】
本発明者は、登録解除にはこれら全てのチェックが必要でないことが分かった。従って、登録及び登録解除に同じメッセージを使用することは、不必要な処理が要求されるという点で欠点である。これは、登録解除プロセスを不必要に低速化すると共に、ＨＳＳリソースを不必要に使用することになる。
【課題を解決するための手段】
【０００９】
それ故、本発明の実施形態の目的は、上述した問題に対処し、又は少なくとも軽減することである。
本発明の第１の態様によれば、ユーザ装置を通信システムに登録し及びそこから登録解除する方法において、前記ユーザ装置を前記通信システムに登録するか又はそこから登録解除する要求を第１ノードへ送信し、前記第１ノードにおいて前記要求が登録要求であるか登録解除要求であるか決定し、そして前記要求が登録要求である場合だけ第２ノードにおいて少なくとも１つの所定のオペレーションを実行する、という段階を備えた方法が提供される。
【００１０】
本発明の第２の態様によれば、ユーザ装置をＩＰマルチメディア通信システムに登録し及びそこから登録解除する方法において、前記ユーザ装置を前記通信システムに登録するか又はそこから登録解除する要求をコール状態又はセッション制御ファンクションノードへ送信し、そして該ノードにおいて前記要求が登録要求であるか登録解除要求であるか決定するようチェックする、という段階を備えた方法が提供される。
【００１１】
本発明の第３の態様によれば、ネットワークに登録及び登録解除されるように構成された少なくとも１つのユーザ装置と、ユーザ装置からの要求が登録要求であるか登録解除要求であるかチェックするように構成された第１ノードと、前記要求が登録要求である場合だけ少なくとも所定のチェックを実行するように構成された第２ノードとを備えた通信システムが提供される。
【００１２】
本発明の第４の態様によれば、少なくとも１つのユーザ装置が登録及び登録解除される通信システムに使用するための第１ノードにおいて、ユーザ装置からの要求が登録要求であるか登録解除要求であるかチェックするための手段と、第２ノードへメッセージを送信するための手段とを備え、更に、前記ユーザ装置が登録されるか又は登録解除されるかを示す指示を上記メッセージに含ませるように構成された第１ノードが提供される。
【００１３】
本発明の更に別の態様によれば、少なくとも１つのユーザ装置が登録及び登録解除される通信システムに使用するための第２ノードにおいて、ユーザ装置が登録されるか又は登録解除されるかを示す指示を含むメッセージを第１ノードから受け取り、そして前記ユーザ装置が登録される場合だけ所定のチェックを実行するための手段を備えた第２ノードが提供される。
【００１４】
本発明の更に別の態様によれば、少なくとも１つのユーザ装置が登録及び登録解除される通信システムに使用するための第２ノードにおいて、ユーザ装置が登録されるか又は登録解除されるか示す指示を含むメッセージを第１ノードから受け取り、そしてユーザ装置が登録される場合だけユーザ装置が現在アタッチされるネットワークを使用することが許されるかどうか決定するためのチェックを行なう手段を備えた第２ノードが提供される。
【発明を実施するための最良の形態】
【００１５】
本発明、及び本発明をいかに実施するかを良く理解するため、添付図面を参照して一例として詳細に説明する。
先ず、本発明の実施形態を組み込むことのできる考えられるネットワークシステムアーキテクチャーを示す図１を参照して説明する。ここに例示するネットワークシステムは、ＵＭＴＳ  ３Ｇ仕様に基づいて構成される。しかしながら、本発明の別の実施形態を、他の第三世代仕様又は実際に他の適当な規格に基づいて使用してもよいことが明らかであろう。ユーザ装置１０は、無線アクセスネットワーク１２に接続できる。ユーザ装置１０と無線アクセスネットワーク１２との間のこの接続は、ワイヤレス接続１１を経て行われる。ユーザ装置１０は、いかなる適当な形態をとってもよく、例えば、移動電話、ポータブルコンピュータ、パーソナルデジタルアシスタント（ＰＤＡ）又は他の適当なワイヤレス装置でよい。ワイヤレス装置は、移動でもよいし、そうでなくてもよい。
【００１６】
無線アクセスネットワーク１２は、少なくともベースステーションと、通常はコントローラとで構成される。無線アクセスネットワーク１２は、ＧＰＲＳコアネットワークに接続される。例えば、ＲＡＮ１２は、ＳＧＳＮ３０（サービングＧＰＲＳサポートノード）に接続されてもよい。ＳＧＳＮ３０は、次いで、ＧＧＳＮ３２（ゲートウェイＧＰＲＳサポートノード）に接続されてもよい。ＧＧＳＮ及びＳＧＳＮは、ＧＰＲＳネットワーク１４を構成する。ＧＧＳＮは、ＤＨＣＰ（動的ホストコンフィギュレーションプロトコル）１５に接続される。ＤＨＣＰ１５は、ユーザ装置１０にプロキシーＣＳＣＦノード１６のドメインネームを与えるのに使用される。Ｐ−ＣＳＣＦノード１６は、ＧＧＳＮ３２に接続される。ドメインネームサーバーＤＮＳ１８は、Ｐ−ＣＳＣＦ１６及びＳＧＳＮ３０に接続される。ボックス２４内に示された要素は、訪問先ネットワーク、即ちＲＡＮ１２、ＳＧＳＮ３０、ＧＧＳＮ３２、ＤＮＳ１８、及びＰ−ＣＳＣＦであるとみなすことができる。
【００１７】
ホームネットワークは、ブロック３６内に示される。ホームネットワーク３６は、ユーザに関連したもので、ユーザが課金等を受けるネットワークである。訪問先ネットワークとホームネットワークとの間の接続は、訪問先ネットワークのＰ−ＣＳＣＦ１６及びホームネットワークのＩ−ＣＳＣＦ２０を経て行なわれる。Ｐ−ＣＳＣＦ１６とＩ−ＣＳＣＦ２０との間には、バックボーンネットワーク又は他の形式の接続がある。ホームネットワークのＩ−ＣＳＣＦ２０は、Ｓ−ＣＳＣＦ２２に接続される。これらＣＳＣＦ２０及び２２は、両方ともＨＳＳ２４に接続される。Ｓ−ＣＳＣＦ２２は、サービングコール状態制御ファンクションであり、少なくとも１つのユーザ装置に現在サービスしているサーバーであって、そのユーザ装置の状態を制御している。ホーム加入者サーバーエンティティ２４は、登録認識、同様のユーザ関連情報等を記憶するのに使用される。
【００１８】
ユーザを登録するための現在の手順を示す図２を参照して以下に説明する。
ステップＳ１において、ユーザ装置１０は、ユーザ装置からＰ−ＣＳＣＦ１６へ登録要求を送信する。この要求の目的は、ユーザＳＩＰ（セッションインターネットプロトコル）均一リソース識別子をホームネットワークのＣＳＣＦ２２に登録することである。この要求は、ユーザ装置に対するＩＰマルチメディアサブシステムとのコンタクトポイントであることから、Ｐ−ＣＳＣＦ１６へルーティングされる。登録メッセージは、次の情報を含む。即ち、プライベート認識、公衆認識、ホームドメインネーム及び要求された登録満了時間、コンテンツの長さ、要求に対する行先ドメイン、割り当てられたＳＩＰセッションのＩＰアドレス、ユーザのＩＰアドレス及び認証情報。
【００１９】
ステップＳ２において、Ｐ−ＣＳＣＦ１６は、ユーザ装置１０が訪問先ドメインから登録されると決定し、ドメインネームサーバー問合せＤＮＳ１８を実行して、ホームネットワーク内のＩ−ＣＳＣＦ２０を探索する。ＤＮＳ１８のルックアップテーブルは、要求のＵＲＬに指定されたアドレスに基づく。Ｐ−ＣＳＣＦ１６は、ユーザ装置１０から発生された登録要求を、識別されたＩ−ＣＳＣＦ２０へ送信する。ステップＳ３において、Ｉ−ＣＳＣＦ２０は、ユーザ許可要求（ＵＡＲ）コマンドの形態でＨＳＳへ問合せを送信することにより、加入者（即ちユーザ）登録状態に関する情報の要求を行なう。この要求は、マルチメディアユーザの登録の許可を要求するためにＨＳＳへ送信される。ＨＳＳ２４は、与えられた認識、例えば、プライベート又は公衆認識が同じユーザに属するかどうか確認する。更に、ＨＳＳ２４は、ユーザが既に登録されたかどうか及び／又はユーザがネットワークに登録されてそこでローミングすることが許されたかどうかチェックしてもよい。
【００２０】
ステップＳ４において、ＨＳＳは、ユーザ許可応答（ＵＡＡ）コマンドの形態でＩ−ＣＳＣＦへ応答を送信する。ユーザが登録を許可されそしてサーバーが既にそれに指定されている場合には、メッセージがサーバーのＳＩＰ  ＵＲＬを含み、登録要求を転送することができる。ユーザが許可されそしてサーバーがまだ指定されていない場合には、マルチメディアユーザに対するサービスの制御を実行するサーバーの選択に使用できるサーバー能力情報が与えられてもよい。
【００２１】
この情報は、ＨＳＳ２４からＩ−ＣＳＣＦ２０へ送信される。
ＨＳＳ２４から受信された情報に基づいて、Ｉ−ＣＳＣＦ２０は、適切なＳ−ＣＳＣＦ２２を選択する。Ｓ−ＣＳＣＦ２２が識別されない場合には、Ｉ−ＣＳＣＦが、ＨＳＳにより与えられた能力情報を使用して、適切なＳ−ＣＳＣＦを選択する。ＨＳＳ２４が、Ｓ−ＣＳＣＦを識別する情報を与える場合には、識別されたＳ−ＣＳＣＦが使用される。ステップＳ５において、Ｉ−ＣＳＣＦ２０は、選択されたＳ−ＣＳＣＦ２２に登録メッセージを転送する。
【００２２】
ステップＳ６において、機密情報を要求するために、マルチメディア許可要求（ＭＡＲ）がＳ−ＣＳＣＦ２２からＨＳＳ２４へ送信される。
ＨＳＳ２４は、ＭＡＲコマンドに応答して、ユーザにチャレンジするために使用されるべき許可ベクトルを選択する。又、Ｓ−ＣＳＣＦは、このステップにおいて、特定のユーザにサービスするためにこれが指定されたことをＨＳＳ２４に指示してもよい。
【００２３】
ステップＳ７において、ＨＳＳは、マルチメディア許可応答ＭＡＡコマンドをＳ−ＣＳＣＦへ送信し、Ｓ−ＣＳＣＦは、要求された許可ベクトルを与える。
ステップＳ８において、Ｓ−ＣＳＣＦは、与えられた認証ベクトルを含む認証チャレンジをＩ−ＣＳＣＦ２０へ送信する。ステップＳ９において、このチャレンジは、Ｉ−ＣＳＣＦ２０によりＰ−ＣＳＣＦ１６へ転送される。
ステップＳ１０において、認証チャレンジは、Ｐ−ＣＳＣＦ１６によりユーザ装置１０へ転送される。
【００２４】
ステップＳ１１において、ユーザ装置１０は、認証チャレンジに対する応答を発生し、そしてその応答を更に別の登録メッセージにおいてＰ−ＣＳＣＦ１６へ返送する。ステップＳ１２−Ｓ１５は、ステップＳ２−Ｓ５と同様であり、登録メッセージをＳ−ＣＳＣＦ２２へ転送するように実施される。Ｓ−ＣＳＣＦ２２は、次いで、ユーザ装置からの応答に基づいて認証手順を実行する。ステップＳ１６では、Ｓ−ＣＳＣＦ２２がサーバー指定要求（ＳＡＲ）コマンドを送信する。これは、実際上、Ｓ−ＣＳＣＦ２２が特定のユーザにサービスすることをＨＳＳ２４が指示することを要求する。ステップＳ１７では、サーバー指定応答がＨＳＳからＳ−ＣＳＣＦ２２へ送信され、これは、実際上、Ｓ−ＣＳＣＦ２２がユーザへ要求されたサービスを提供すべきであるという確認を与える。ステップＳ１８において、Ｓ−ＣＳＣＦ２２からＩ−ＣＳＣＦ２０へメッセージが送信され、ユーザが登録されることを実際上確認する。このメッセージは、ステップＳ１９においてＩ−ＣＳＣＦによりＰ−ＣＳＣＦへ転送され、そしてステップＳ２０においてＰ−ＣＳＣＦ１６からユーザ装置１０へ転送される。
【００２５】
既に登録されたユーザの登録解除を行う手順を示した図３を参照して以下に説明する。ステップＴ１−Ｔ５は、図２のステップＳ１−Ｓ５と同様である。しかしながら、Ｓ−ＣＳＣＦ選択は、既に行われているので、これを行なう必要はない。ユーザは、既に登録されているので、ステップＴ５の後の次のステップは、ステップＴ６及びＴ７であり、これらは、図２のステップＳ１８及びＳ１９と同じである。
【００２６】
ユーザ装置により送信された登録メッセージは、ユーザ装置が登録解除を希望するという情報を含む。しかしながら、Ｉ−ＣＳＣＦは、依然、ＨＳＳに質問することを必要とし、そしてＨＳＳは、依然、正しいコマンドを与えることを必要とする。ステップＴ６のＳＡＲコマンドは、ユーザが登録解除されることをＨＳＳに指示する。これは、例えば、ユーザが、現在アタッチされたネットワークへローミングすることが許されたかどうかチェックするために、ＨＳＳが質問された後だけである。ＨＳＳは、適当に更新される。ステップＴ７のＳＡＡメッセージは、移動ステーションを登録解除できることをＳ−ＣＳＣＦに確認する。ステップＴ８−Ｔ１０は、これについての確認を移動ステーションへ転送する。
【００２７】
本発明の実施形態について以下に説明する。本発明の実施形態では、登録手順は、図２を参照して説明した通りである。しかしながら、登録解除手順については異なる手順が与えられる。この点については、図４を参照して説明する。
【００２８】
図４は、登録解除手順の間の信号の流れを示す。第１ステップＱ１において、登録メッセージがユーザ装置からＰ−ＣＳＣＦ１６へ送信される。これは、図２のステップＳ１と同じである。ステップＱ２において、Ｐ−ＣＳＣＦは、登録メッセージをＩ−ＣＳＣＦ２０へ送信する。この場合も、これは、図２のステップＳ２と同じである。
【００２９】
Ｉ−ＣＳＣＦ２０により実行される方法を示す図５を参照して説明する。ステップＡ１において、登録メッセージが受け取られる。ステップＡ２において、Ｉ−ＣＳＣＦ２０は、要求された満了時間をＳＩＰ  ＲＥＧＩＳＴＥＲメッセージに含む満了ヘッダフィールドの値をチェックする。特に、ステップＡ３において、Ｉ−ＣＳＣＦは、その値が０であるかどうかチェックする。もしそうであれば、次のステップは、Ａ４である。値０は、メッセージが登録解除メッセージであることを指示するためにとられる。メッセージが登録解除メッセージであると決定された場合には、ＵＡＲメッセージの属性フィールドが、メッセージが登録解除メッセージであることを指示するように設定される。このメッセージは、ステップＱ３において、ＨＳＳ２４へ送信される。受信したＵＡＲメッセージが、メッセージが登録解除メッセージであることを指示する場合には、ＨＳＳがローミング分析を行わず、即ちユーザ装置が、現在アタッチされたネットワークで動作する資格があるかどうかの決定を行なわない。
【００３０】
値が、ステップＡ３において、０でないと決定された場合には、次のステップがＡ６である。ＵＡＲメッセージにおける登録形式は、メッセージが登録メッセージであることを指示するように設定される。ＵＡＲメッセージを受信すると、ステップＡ７において、ＨＳＳは、ローミング分析を実行する。ステップＱ３においてＩ−ＣＳＣＦ２０からＨＳＳ２４へ送信されるＵＡＲメッセージは、ステップＳ３において送信されたものと同様であるが、ユーザが登録を希望するか登録解除を希望するかの付加的な情報を伴うことを理解されたい。或いは又、登録及び登録解除に異なるメッセージが定義される限り、ステップＳ３の場合と厳密に同じでもよい。
【００３１】
上述したように、ＨＳＳは、メッセージが登録解除メッセージである場合にはローミング分析を実行しない。次のステップは、ステップＱ４であり、これは、図２のステップＳ４と同じである。次のステップＱ５では、Ｉ−ＣＳＣＦが登録メッセージをＳ−ＣＳＣＦへ送信する。ステップＱ６−Ｑ１０は、図３のステップＴ６−Ｔ１０と同じである。
【００３２】
本発明によるＵＡＲメッセージは、次のフィールドを有することを理解されたい。
ダイアメーターヘッダ
セッション認識
許可されたアプリケーション認識
許可されたセッション状態
原点ホスト
原点領域
行先ホスト
行先領域
ユーザネーム
公衆認識
訪問先ネットワーク認識
登録形式、即ちメッセージが登録メッセージか登録解除メッセージか
【００３３】
本発明の実施形態は、特に、第三世代のテレコミュニケーションシステムに関連して説明した。本発明の別の実施形態も任意の適当な規格で使用されてもよいことが明らかである。本発明の実施形態は、ＩＰマルチメディアサブシステムに関して説明した。本発明の実施形態は、他のシステムにも使用できることが明らかであろう。
【図面の簡単な説明】
【００３４】
【図１】本発明の実施形態を組み込むことのできる通信システムアーキテクチャーを示す図である。
【図２】登録のために現在提案されている仕様に基づく情報の流れを示す図である。
【図３】登録のために現在提案されている仕様に基づく情報の流れを示す図である。
【図４】本発明の実施形態に基づく情報の流れを示す図である。
【図５】本発明による方法のフローチャートである。
【図１】
2005521349.tif 000003
【図２】
2005521349.tif 000004
【図３】
2005521349.tif 000005
【図４】
2005521349.tif 000006
【図５】
2005521349.tif 000007
【手続補正書】
【提出日】平成16年4月30日(2004.4.30)
【手続補正１】
【補正対象書類名】特許請求の範囲
【補正対象項目名】請求項１８
【補正方法】変更
【補正の内容】
【請求項１８】
ユーザ装置をＩＰマルチメディア通信システムに登録し及びそこから登録解除する方法において、
前記ユーザ装置を前記通信システムに登録するか又はそこから登録解除する要求をコール状態又はセッション制御ファンクションノードへ送信し、そして
上記ノードにおいて前記要求が登録要求又は登録解除要求の一方のみであるかどうか決定するようにチェックする、
という段階を備えた方法。
【国際調査報告】
2005521349.tif 000008
2005521349.tif 000009
2005521349.tif 000010